(57)【要約】  本技術は、服薬に関するより確からしい情報を得ることができるようにする情報処理装置および方法、並びにプログラムに関する。抽出部は、記録部に記録されている医科レセプト情報から、処方薬剤の処方日と処方日数を抽出する。演算部は、各処方薬剤のうち、処方日が同日であり、異なる処方日数の処方薬剤がある場合、それらの処方日数に基づく除算を行い、その除算結果が特定条件を満たすときには、処方薬剤が効果持続薬であるとする。服薬日程生成部は、効果持続薬の処方日数が、その効果持続薬と同日に処方された他の処方薬剤の処方日数であるものとして、その処方日数と処方日とから、効果持続薬の服薬日程を示す服薬日程情報を生成する。本技術は、情報処理装置に適用することができる。
2014021114.tif 000002
【特許請求の範囲】
【請求項１】
処方薬剤の処方日と処方日数を取得する取得部と、
他の処方薬剤の処方日数と、前記処方薬剤の処方日数とに基づく除算を行なって、その除算結果が所定の条件を満たすか否かに基づいて、前記処方薬剤が効果持続薬であるかを特定する演算部と、
前記処方薬剤が効果持続薬である場合、前記処方薬剤の処方日と前記他の処方薬剤の処方日数とに基づいて、前記処方薬剤の服薬日程情報を生成する服薬日程生成部と
を備える情報処理装置。
【請求項２】
前記演算部は、処方日が前記処方薬剤と同じである前記他の処方薬剤の処方日数と、前記処方薬剤の処方日数とに基づく除算を行なう
請求項１に記載の情報処理装置。
【請求項３】
前記服薬日程生成部は、前記処方薬剤の処方日数が前記他の処方薬剤の処方日数と同じであるものとして、前記服薬日程情報を生成する
請求項２に記載の情報処理装置。
【請求項４】
前記服薬日程生成部は、前記処方薬剤の処方日を開始日とする前記他の処方薬剤の処方日数の期間を、前記取得部により取得された前記処方薬剤の処方日数分の数の分割期間に分割し、各前記分割期間において、前記分割期間の開始日から終了日まで前記処方薬剤による影響度合いが減衰していくように、前記処方薬剤の服薬日程と影響度合いを示す前記服薬日程情報を生成する
請求項３に記載の情報処理装置。
【請求項５】
前記演算部は、前記他の処方薬剤の処方日数がＭａであり、前記処方薬剤の処方日数がＭｂであり、Ｍａ＞Ｍｂである場合、Ｍａ／Ｍｂの剰余が０であるとき、前記処方薬剤は効果持続薬であるとする
請求項２に記載の情報処理装置。
【請求項６】
前記演算部は、前記他の処方薬剤の処方日数がＭａであり、前記処方薬剤の処方日数がＭｂであり、Ｍａ＞Ｍｂである場合、Ｍａ／（Ｍｂ−１）の商が７、１４、または２８乃至３１の何れかであるとき、前記処方薬剤は効果持続薬であるとする
請求項２に記載の情報処理装置。
【請求項７】
前記処方薬剤と同一処方日で、かつ前記処方薬剤と処方日数が異なる前記他の処方薬剤があるか否かを特定する特定部をさらに備える
請求項２に記載の情報処理装置。
【請求項８】
処方薬剤の処方日と処方日数を取得し、
他の処方薬剤の処方日数と、前記処方薬剤の処方日数とに基づく除算を行なって、その除算結果が所定の条件を満たすか否かに基づいて、前記処方薬剤が効果持続薬であるかを特定し、
前記処方薬剤が効果持続薬である場合、前記処方薬剤の処方日と前記他の処方薬剤の処方日数とに基づいて、前記処方薬剤の服薬日程情報を生成する
ステップを含む情報処理方法。
【請求項９】
処方薬剤の処方日と処方日数を取得し、
他の処方薬剤の処方日数と、前記処方薬剤の処方日数とに基づく除算を行なって、その除算結果が所定の条件を満たすか否かに基づいて、前記処方薬剤が効果持続薬であるかを特定し、
前記処方薬剤が効果持続薬である場合、前記処方薬剤の処方日と前記他の処方薬剤の処方日数とに基づいて、前記処方薬剤の服薬日程情報を生成する
ステップを含む処理をコンピュータに実行させるプログラム。
【発明の詳細な説明】
【技術分野】
【０００１】
本技術は情報処理装置および方法、並びにプログラムに関し、特に、服薬に関するより確からしい情報を得ることができるようにした情報処理装置および方法、並びにプログラムに関する。
【背景技術】
【０００２】
現在、医師が発行する処方せんや、薬局で発行されるお薬手帳は紙媒体で運用されているが、利便性や効率性向上の観点から、電子的に処方せんやお薬手帳を共有，管理する仕組みの構築が求められている。【０００３】
そこで、薬品処方装置において各患者の処方情報を管理することで、薬剤の安全な処方を実現する技術が提案されている（例えば、特許文献１参照）。この技術では、患者であるユーザが薬品処方装置にアクセスすると、薬品処方装置は患者の処方情報のなかから、医師により決定された処方条件を満たす処方情報を選択し、患者の携帯端末に送信する。【０００４】
そして、患者が携帯端末に表示された処方情報から所望のものを指定すると、その処方情報が薬品処方装置によって調剤薬局に公開される。その後、患者が調剤薬局に行き、個人認証等が行なわれると、処方情報に基づいて調剤薬局の薬剤師により薬剤が調剤され、患者に引き渡される。
【先行技術文献】
【特許文献】
【０００５】
【特許文献１】特開２００４−０２９９８５号公報
【発明の概要】
【発明が解決しようとする課題】
【０００６】
ところで、処方せんやレセプトを電子化した場合には、レセプトなどの薬歴情報から、患者に対して処方された各処方薬剤の処方日や処方日数を抽出することができるので、各処方薬剤の服薬日程を把握することができる。このようにして得られた服薬日程を用いれば、患者であるユーザに対する薬剤の重複投与や、飲み合わせ禁忌となる薬剤の処方を防止することができるようになる。【０００７】
例えば、処方薬剤の処方日および処方日数として、ＤｊおよびＭｊが電子化されたレセプトなどから抽出された場合、その処方薬剤は、処方日ＤｊからＤｊ＋Ｍｊ−１までの期間において患者に服用されたことになる。この場合、患者が処方薬剤を処方日から毎日服用していることが前提とされており、ＤｊからＤｊ＋Ｍｊ−１までの期間に患者により処方薬剤が服用されたとして、飲み合わせ禁忌となる薬剤の検出等が行なわれる。【０００８】
しかし、リウマチ薬のリウマトレックス（登録商標）のように、服用による薬剤の効果が１週間持続するものもある。例えば、リウマトレックスが２週間分処方されたとすると、レセプトなどの薬歴情報から得られる処方日数は２日分となる。これは、レセプトは服薬カレンダーではなく、薬剤の請求書であるため、２日分の処方という形で記録されるからである。【０００９】
例えば、レセプトから得られるリウマトレックスの処方日がＤｊであるとする。この場合、実際に患者が薬剤を服用する日付けはＤｊ日と（Ｄｊ＋７）日であるが、レセプトから得られる処方日数は２日であるので、Ｄｊ日と（Ｄｊ＋１）日にリウマトレックスが服用されたとして処理が行なわれてしまうことになり、服薬日程にずれが生じる。【００１０】
なお、以下では、服薬による薬剤の効果が数日間持続する薬剤を効果持続薬と呼ぶこととする。このような効果持続薬は、リウマトレックスの他にも、多く存在している。【００１１】
例えば、骨粗鬆薬のフォサマック（登録商標）錠やボナロン（登録商標）錠は、１日に１回服用するものと、１週間に１回服用するものがある。【００１２】
具体的には、フォサマック錠5mgやボナロン錠5mgは、１日に１回（１錠）服用されるものであり、フォサマック錠35mgやボナロン錠35mgは、１週間に１回（１錠）服用され、その効果は７日間持続するものである。【００１３】
このような効果持続薬の服薬日程については、個々のレセプトでは特記事項の追加などにより対応しているのが現状である。時間的な処理速度よりも処理の正確さが求められる医療現場や従来のレセプトコンピュータでは、効果持続薬の服薬に関する情報を特記事項として入力すればよい。しかし、レセプト解析などの集合的な処理においては、処方薬剤ごとに個別処理を行なうことは、計算量増加の観点からも現実的ではない。しかも、レセプト解析時の集合処理上では、特記事項は失われてしまっていることも少なくない。【００１４】
以上のように、上述した技術では、患者に対して処方された処方薬剤について、処方薬剤の服薬に関する正確な情報を得ることは困難であった。【００１５】
本技術は、このような状況に鑑みてなされたものであり、服薬に関するより確からしい情報を得ることができるようにするものである。
【課題を解決するための手段】
【００１６】
本技術の一側面の情報処理装置は、処方薬剤の処方日と処方日数を取得する取得部と、他の処方薬剤の処方日数と、前記処方薬剤の処方日数とに基づく除算を行なって、その除算結果が所定の条件を満たすか否かに基づいて、前記処方薬剤が効果持続薬であるかを特定する演算部と、前記処方薬剤が効果持続薬である場合、前記処方薬剤の処方日と前記他の処方薬剤の処方日数とに基づいて、前記処方薬剤の服薬日程情報を生成する服薬日程生成部とを備える。【００１７】
前記演算部には、処方日が前記処方薬剤と同じである前記他の処方薬剤の処方日数と、前記処方薬剤の処方日数とに基づく除算を行なわせることができる。【００１８】
前記服薬日程生成部には、前記処方薬剤の処方日数が前記他の処方薬剤の処方日数と同じであるものとして、前記服薬日程情報を生成させることができる。【００１９】
前記服薬日程生成部には、前記処方薬剤の処方日を開始日とする前記他の処方薬剤の処方日数の期間を、前記取得部により取得された前記処方薬剤の処方日数分の数の分割期間に分割させ、各前記分割期間において、前記分割期間の開始日から終了日まで前記処方薬剤による影響度合いが減衰していくように、前記処方薬剤の服薬日程と影響度合いを示す前記服薬日程情報を生成させることができる。【００２０】
前記演算部には、前記他の処方薬剤の処方日数がＭａであり、前記処方薬剤の処方日数がＭｂであり、Ｍａ＞Ｍｂである場合、Ｍａ／Ｍｂの剰余が０であるとき、前記処方薬剤は効果持続薬であるとさせることができる。【００２１】
前記演算部には、前記他の処方薬剤の処方日数がＭａであり、前記処方薬剤の処方日数がＭｂであり、Ｍａ＞Ｍｂである場合、Ｍａ／（Ｍｂ−１）の商が７、１４、または２８乃至３１の何れかであるとき、前記処方薬剤は効果持続薬であるとさせることができる。【００２２】
情報処理装置には、前記処方薬剤と同一処方日で、かつ前記処方薬剤と処方日数が異なる前記他の処方薬剤があるか否かを特定する特定部をさらに設けることができる。【００２３】
本技術の一側面の情報処理方法またはプログラムは、処方薬剤の処方日と処方日数を取得し、他の処方薬剤の処方日数と、前記処方薬剤の処方日数とに基づく除算を行なって、その除算結果が所定の条件を満たすか否かに基づいて、前記処方薬剤が効果持続薬であるかを特定し、前記処方薬剤が効果持続薬である場合、前記処方薬剤の処方日と前記他の処方薬剤の処方日数とに基づいて、前記処方薬剤の服薬日程情報を生成するステップを含む。【００２４】
本技術の一側面においては、処方薬剤の処方日と処方日数が取得され、他の処方薬剤の処方日数と、前記処方薬剤の処方日数とに基づく除算が行なわれて、その除算結果が所定の条件を満たすか否かに基づいて、前記処方薬剤が効果持続薬であるかが特定され、前記処方薬剤が効果持続薬である場合、前記処方薬剤の処方日と前記他の処方薬剤の処方日数とに基づいて、前記処方薬剤の服薬日程情報が生成される。
【発明の効果】
【００２５】
本技術の一側面によれば、服薬に関するより確からしい情報を得ることができる。
【図面の簡単な説明】
【００２６】
【図１】情報処理システムの構成例を示す図である。
【図２】データセンタの構成例を示す図である。
【図３】服薬日程生成処理を説明するフローチャートである。
【図４】服薬日程情報の一例を示す図である。
【図５】服薬日程情報の一例を示す図である。
【図６】服薬日程生成処理を説明するフローチャートである。
【図７】携帯型端末装置の構成例を示す図である。
【図８】服薬日程生成処理を説明するフローチャートである。
【図９】服薬日程生成処理を説明するフローチャートである。
【図１０】コンピュータの構成例を示す図である。
【発明を実施するための形態】
【００２７】
以下、図面を参照して、本技術を適用した実施の形態について説明する。
【００２８】
〈第１の実施の形態〉
［情報処理システムの構成例］
本技術は、例えば患者に対して処方された薬剤の処方日や処方日数を利用して、薬剤の重複投与や薬剤の飲み合わせ禁忌の検出などの処理を実行しようとする場合に、処方薬剤の服用に関するより確からしい情報を得ることができるようにするものである。
【００２９】
現状において、処方薬剤に関する情報、つまり薬歴情報として入手しやすい情報は、患者の服薬日程を示す服薬カレンダーではなく、医科レセプトや調剤レセプトなどの請求書データである。これらの医科レセプトや調剤レセプトには、処方薬剤の処方日と処方日数が含まれているが、ここでの処方日数は、処方した量としての日数である。
【００３０】
しかし、上述したように薬剤のなかには、その薬剤の服用による効果が１日よりも長い期間持続（残存）するものもある。そのため、医科レセプト等から抽出された処方日数と、実際に患者が薬剤を服用する期間、つまり処方薬剤の服用により、その効果が持続する期間の日数とに齟齬をきたしている場合がある。
【００３１】
そこで、本技術では、処方日が同一である複数の処方薬剤の各処方日数を利用して、各処方薬剤について、服薬に関するより確からしい情報、つまり実際に患者が薬剤を服用する期間の日数（処方日数）を示す、より確からしい情報を得ることができるようにする。
【００３２】
換言すれば、本技術では、同一処方日の他の薬剤のデータと連携させることで、各処方薬剤の処方日数について欠落してしまった情報を補完し、処方薬剤の服薬に関するより確からしい情報が得られるようにする。例えば本技術では、服薬に関する情報として、ユーザの各処方薬剤の服薬日程を示す服薬日程情報が生成される。
【００３３】
次に、本技術を適用した具体的な実施の形態について説明する。
【００３４】
図１は、本技術を適用した情報処理システムの一実施の形態の構成例を示す図である。
【００３５】
図１の情報処理システムは、携帯型端末装置１１、薬局内システム１２、病院内システム１３、およびデータセンタ１４から構成され、薬局内システム１２乃至データセンタ１４は、インターネットなど、有線や無線のネットワークからなる通信網１５を介して、相互に接続されている。
【００３６】
携帯型端末装置１１は、ユーザが所持する携帯型電話機などからなり、図示せぬ通信網や通信網１５を介して薬局内システム１２乃至データセンタ１４と通信し、必要に応じて情報の授受を行なう。
【００３７】
薬局内システム１２は、ユーザが処方された薬剤を購入する薬局内に設けられており、１または複数の装置から構成されている。薬局内システム１２は、携帯型端末装置１１と通信して、携帯型端末装置１１と必要な情報の授受を行なったり、薬剤師等の入力操作に応じて各種の処理を行なったりする。
【００３８】
また、薬局内システム１２には、患者であるユーザの個人情報や、薬歴に関するデータ（以下、薬歴データと称する）、薬局内システム１２を特定する調剤薬局ＩＤなどからなる個人／薬歴情報や、調剤レセプト情報などがユーザごとに記録されている。
【００３９】
各ユーザの薬歴データには、薬局等においてユーザのために調剤された薬剤に関する情報や、その薬剤の処方せんに関する情報、薬歴データを特定する薬歴ＩＤなどが含まれている。より具体的には、例えば薬歴データには、処方された薬剤を示す情報や、薬剤の処方日や処方日数、薬歴ＩＤなどの情報が含まれている。
【００４０】
また、調剤レセプト情報は電子化されたレセプトであり、調剤レセプト情報には、ユーザに処方された薬剤の名称、処方日、処方日数、その調剤レセプト情報を特定するレセプトＩＤなどの情報が含まれている。
【００４１】
薬局内システム１２は、必要に応じて個人／薬歴情報や調剤レセプト情報を生成して記録したり、個人／薬歴情報に含まれる薬歴データや調剤レセプト情報等をデータセンタ１４に送信したりする。
【００４２】
病院内システム１３は、患者であるユーザが通院する病院内に設けられており、１または複数の装置から構成されている。病院内システム１３は、携帯型端末装置１１と通信して、携帯型端末装置１１と必要な情報の授受を行なったり、医師等の入力操作に応じて各種の処理を行なったりする。
【００４３】
また、病院内システム１３には、患者であるユーザの個人情報や、診察に関するデータ（以下、診察データと称する）、病院内システム１３を特定する医療機関ＩＤなどからなる個人／診察情報や、医科レセプト情報、DPC（Diagnosis Procedure Combination）レセプト情報などがユーザごとに記録されている。例えば、診察データは電子カルテなどとされる。
【００４４】
なお、例えば医科レセプト情報やDPCレセプト情報には、患者であるユーザに処方された薬剤の薬剤名や薬剤の処方日、処方日数、その医科レセプト情報やDPCレセプト情報を特定するレセプトＩＤなどの情報が含まれている。
【００４５】
病院内システム１３は、必要に応じて個人／診察情報や、医科レセプト情報、DPCレセプト情報を生成して記録したり、個人／診察情報に含まれる診察データや、医科レセプト情報、DPCレセプト情報をデータセンタ１４に送信したりする。
【００４６】
データセンタ１４は、１または複数の装置から構成される。データセンタ１４は、薬局内システム１２および病院内システム１３から薬歴データや診察データ、調剤レセプト情報、医科レセプト情報、DPCレセプト情報などを受信して記録したり、それらのデータを要求に応じて薬局内システム１２や病院内システム１３、携帯型端末装置１１に送信したりする。すなわち、データセンタ１４に記録される薬歴データや診察データなどの各情報は、各薬局内システム１２や病院内システム１３、携帯型端末装置１１によって共有される。
【００４７】
データセンタ１４は、薬歴データや診察データを受信すると、ユーザ薬歴情報を更新する。ユーザ薬歴情報には、ユーザの個人識別ＩＤ、調剤薬局ＩＤまたは医療機関ＩＤ、薬歴データまたは診察データ、ユーザの電子メールアドレス等の連絡先等が含まれている。
【００４８】
［データセンタの構成例］
続いて、図１のデータセンタ１４のより詳細な構成について説明する。図２は、データセンタ１４のより詳細な構成例を示す図である。
【００４９】
データセンタ１４は、通信部４１、入力部４２、制御部４３、記録部４４、および表示部４５から構成される。
【００５０】
通信部４１は、携帯型端末装置１１などの外部の装置と通信し、各種のデータを受信して制御部４３に供給したり、制御部４３から供給されたデータを送信したりする。入力部４２は、例えば入力ボタンやタッチパネルなどからなり、データセンタ１４の管理者により入力された情報を制御部４３に供給する。
【００５１】
制御部４３は、データセンタ１４全体の動作を制御する。制御部４３は、抽出部５１、特定部５２、演算部５３、および服薬日程生成部５４を備えている。
【００５２】
抽出部５１は、記録部４４に記録されている医科レセプト情報などの薬歴情報から、患者に対して処方された処方薬剤に関する情報、例えば処方薬剤の薬剤名や処方日、処方日数などを抽出する。特定部５２は、抽出された各処方薬剤の処方日に基づいて、同一処方日の処方薬剤を特定する。
【００５３】
演算部５３は、同一処方日の処方薬剤の処方日数に基づく除算を行い、その除算結果が所定の条件を満たすか否かを判定することで、処方薬剤が効果持続薬であるかを特定する。服薬日程生成部５４は、効果持続薬の特定結果に基づいて各処方薬剤の服薬日程情報を生成する。
【００５４】
記録部４４は、制御部４３により実行されるプログラムや各種のデータを記録しており、必要に応じてそれらのデータを制御部４３に供給する。例えば、記録部４４は、ユーザ薬歴情報や、調剤レセプト情報、医科レセプト情報、DPCレセプト情報などを記録している。表示部４５は、液晶表示パネルなどからなり、制御部４３から供給されたデータに基づいて、各種の画像を表示する。
【００５５】
［服薬日程生成処理の説明］
ところで、例えばユーザが携帯型端末装置１１を操作して、薬剤の飲み合わせの危険性の通知に関するアプリケーションプログラムを起動させると、携帯型端末装置１１はデータセンタ１４に対して、特定の患者の処方薬剤の服薬日程情報の送信を要求してくる。
【００５６】
すると、データセンタ１４は、携帯型端末装置１１の要求に応じて、服薬日程生成処理を行なって、服薬日程情報を生成し、携帯型端末装置１１に送信する。
【００５７】
以下、図３のフローチャートを参照して、データセンタ１４による服薬日程生成処理について説明する。なお、服薬日程生成処理は、例えばレセプトＩＤにより識別される医科レセプト情報などのレセプトごとに実行される。
【００５８】
ステップＳ１１において、抽出部５１は、記録部４４に記録されている調剤レセプト情報、医科レセプト情報、DPCレセプト情報などの薬歴情報から、特定の患者に対して処方された処方薬剤に関する情報として、各処方薬剤の処方日および処方日数を抽出する。すなわち、抽出部５１は記録部４４から処方薬剤の処方日と処方日数を取得する。
【００５９】
ステップＳ１２において、特定部５２は、同一処方日で異なる処方日数の薬剤があるか否かを判定する。
【００６０】
例えば、処方ａにおける処方薬剤Ａの処方日と処方日数が、それぞれＤａおよびＭａであり、処方ｂにおける処方薬剤Ｂの処方日と処方日数が、それぞれＤｂおよびＭｂであるとし、医科レセプト情報から処方薬剤Ａと処方薬剤Ｂについての情報が抽出されたとする。
【００６１】
この場合、特定部５２は、処理対象となっている処方薬剤Ａと処方薬剤Ｂについて、それらの処方日Ｄａと処方日Ｄｂ、および処方日数Ｍａと処方日数Ｍｂをそれぞれ比較する。そして、処方日Ｄａ＝Ｄｂ、かつ処方日数Ｍａ≠Ｍｂである場合、つまり処方薬剤Ａと処方薬剤Ｂの処方日は同じであるが、処方日数が異なる場合、特定部５２は、同一処方日で異なる処方日数の薬剤があると判定する。
【００６２】
通常、同日に複数の薬剤が処方される場合には、それらの薬剤の処方日数は同じである可能性が高い。そこで、データセンタ１４では、処方日が同日であり、かつ処方日数も同じである処方薬剤については、それらの処方薬剤は、効果持続薬ではないものとして、以降の処理を行なう。逆に、処方日が同日であるにも関わらず、処方日数の異なる処方薬剤がある場合には、それらの処方薬剤のうちの少なくとも１つは、効果持続薬である可能性が高いので、各処方薬剤が効果持続薬であるかについての判定処理が行なわれる。
【００６３】
ステップＳ１２において、同一処方日で異なる処方日数の薬剤があると判定された場合、ステップＳ１３において、特定部５２は、処理対象となっている処方薬剤が頓服薬であるか否かを判定する。ここで、頓服薬とは、症状が出たときにのみ服用される薬剤である。
【００６４】
例えば、処理対象となっている処方薬剤が、記録部４４に記録された調剤レセプト情報から抽出されたものである場合、特定部５２は、その調剤レセプト情報に含まれている剤形コードを参照することで、処方薬剤が頓服薬か否かを判定する。剤形コードは、処方薬剤が内服、内滴、頓服、注射などの何れであるかを示しており、この剤形コードが「頓服」を示している場合、特定部５２は処方薬剤が頓服薬であると判定する。
【００６５】
また、例えば処理対象となっている処方薬剤が、記録部４４に記録された医科レセプト情報から抽出されたものである場合、特定部５２は、その医科レセプト情報に含まれている診療識別コードを参照することで、処方薬剤が頓服薬か否かを判定する。診療識別コードには、投薬した薬剤が内服、頓服、外用などの何れであるかを示すコードが含まれており、診療識別コードが「頓服」を示している場合、特定部５２は処方薬剤が頓服薬であると判定する。
【００６６】
このように、一般的に用いられている調剤レセプト情報や医科レセプト情報には、剤形コードや診療識別コードなど、処方薬剤が頓服薬であるかを特定可能な情報が含まれているので、特定部５２は、それらの情報を参照して処方薬剤が頓服薬であるかを判定する。
【００６７】
ステップＳ１３において、処方薬剤が頓服薬でないと判定された場合、ステップＳ１４において、演算部５３は、抽出された処方薬剤の処方日数に基づく除算を行なう。
【００６８】
例えば、処方薬剤Ａの処方日数がＭａであり、処方薬剤Ｂの処方日数がＭｂであり、Ｍａ＞Ｍｂであるとする。
【００６９】
この場合、演算部５３は、処方日数Ｍａを処方日数Ｍｂで除算したときの剰余Ｚを求める。そして、演算部５３はＭａ／Ｍｂの剰余Ｚが０である場合、処方薬剤Ｂは効果持続薬であるとする。
【００７０】
例えば、リウマトレックスのように、徐々に体内に蓄積させていく薬や、ボナロン錠のような骨粗鬆症の薬は、１週間に１度乃至３度服用するといった方法で服用される効果持続薬である。
【００７１】
いま、例えば処方薬剤Ａが毎日服用する薬剤であり、処方薬剤Ｂが週に１回服用する効果持続薬であり、これらの処方薬剤Ａと処方薬剤Ｂが、２週間分の量だけ処方されたとする。このとき、処方薬剤Ａは毎日服用されるのでＭａ＝１４となり、処方薬剤Ｂは週に１度だけ服用されるからＭｂ＝２となるので、Ｍａ／Ｍｂ＝１４／２の剰余Ｚは０となる。
【００７２】
このように、Ｍａ／Ｍｂの剰余Ｚが０である場合、処方薬剤Ｂは効果持続薬であるとすることができる。
【００７３】
また、例えば演算部５３は、処方日数Ｍｂから１を減算して得られる値（Ｍｂ−１）で処方日数Ｍａを除算したときの商Ｑを求める。そして、演算部５３はＭａ／（Ｍｂ−１）の商Ｑが７、１４、または２８乃至３１の何れかである場合、処方薬剤Ｂは効果持続薬であるとする。
【００７４】
例えば、処方薬剤Ａが毎日服用する薬剤であり、処方薬剤Ｂが週に２回服用する効果持続薬であり、これらの処方薬剤Ａと処方薬剤Ｂが、１週間分の量だけ処方されたとする。このとき、処方薬剤Ａは毎日服用されるのでＭａ＝７となり、処方薬剤Ｂは週に２度服用されるからＭｂ＝２となるので、Ｍａ／（Ｍｂ−１）＝７／（２−１）の商Ｑは７となる。
【００７５】
また、例えば処方薬剤Ａが毎日服用する薬剤であり、処方薬剤Ｂが週に１回服用する効果持続薬であり、これらの処方薬剤Ａと処方薬剤Ｂが、２週間分の量だけ処方されたとする。このとき、処方薬剤Ａは毎日服用されるのでＭａ＝１４となり、処方薬剤Ｂは週に１度服用されるからＭｂ＝２となるので、Ｍａ／（Ｍｂ−１）＝１４／（２−１）の商Ｑは１４となる。
【００７６】
さらに、例えば処方薬剤Ａが毎日服用する薬剤であり、処方薬剤Ｂが２週間に１回服用する効果持続薬であり、これらの処方薬剤Ａと処方薬剤Ｂが、１月分の量だけ処方されたとする。このとき、処方薬剤Ａは毎日服用されるのでＭａ＝２８乃至３１の何れかとなり、処方薬剤Ｂは２週間に１度服用されるからＭｂ＝２となるので、Ｍａ／（Ｍｂ−１）の商Ｑは２８乃至３１の何れかとなる。
【００７７】
このように、Ｍａ／（Ｍｂ−１）の商Ｑが７、１４、または２８乃至３１の何れかである場合、処方薬剤Ｂは効果持続薬であるとすることができる。この場合、処方薬剤Ａの処方日数等によって、Ｍａ／（Ｍｂ−１）の剰余が０とならないときでも、処方薬剤Ｂが効果持続薬であるかを特定することができる。
【００７８】
ステップＳ１５において、演算部５３は、抽出された処方薬剤の処方日数に基づく除算結果に基づいて、処方薬剤が効果持続薬であるか否かを判定する。
【００７９】
例えば、Ｍａ＞Ｍｂである処方薬剤Ａと処方薬剤Ｂについて、Ｍａ／Ｍｂの剰余Ｚが０である場合、またはＭａ／（Ｍｂ−１）の商Ｑが７、１４、若しくは２８乃至３１の何れかである場合、演算部５３は処方薬剤Ｂが効果持続薬であると判定する。
【００８０】
ステップＳ１５において、効果持続薬であると判定された場合、ステップＳ１６において、服薬日程生成部５４は、効果持続薬処理を行なって服薬日程情報を生成する。
【００８１】
例えば処方日および処方日数がＤａとＭａである処方薬剤Ａと、処方日および処方日数がＤｂとＭｂである処方薬剤Ｂのうち、処方薬剤Ｂが効果持続薬であるとされた場合、服薬日程生成部５４は、処方薬剤Ｂの処方日数ＭｂをＭａとして、服薬日程情報を生成する。但し、Ｍａ＞Ｍｂである。
【００８２】
これにより、例えば図４に示す服薬日程情報が得られる。なお、図中、横方向は日付けを示している。
【００８３】
図４の例では、矢印Ａ１１に示される矩形は、処方薬剤Ａの服薬日程情報を示している。また、矢印Ａ１２に示される矩形は、処方薬剤Ｂが効果持続薬でないとした場合の服薬日程情報を示しており、矢印Ａ１３に示される矩形は、処方薬剤Ｂが効果持続薬であるとした場合の服薬日程情報を示している。
【００８４】
矢印Ａ１１に示される処方薬剤Ａの服薬日程情報では、その服薬日程情報を表す矩形の図中、左端および右端の位置が、それぞれ処方薬剤Ａの服薬開始日および服薬終了日を示している。具体的には、処方薬剤Ａの服薬開始日は処方日Ｄａとされ、処方薬剤Ａの服薬終了日は（Ｄａ＋Ｍａ−１）とされている。
【００８５】
したがって、矢印Ａ１１に示される処方薬剤Ａの服薬日程情報によれば、ユーザは処方日Ｄａから（Ｄａ＋Ｍａ−１）までの期間、つまり処方日数であるＭａ日間の間、処方薬剤Ａを服薬していたことが分かる。
【００８６】
また、仮に処方薬剤Ｂの処方日Ｄｂと処方日数Ｍｂから服薬日程情報を生成した場合には、矢印Ａ１２に示す服薬日程情報が得られる。
【００８７】
矢印Ａ１２に示される処方薬剤Ｂの服薬日程情報では、その服薬日程情報を表す矩形の図中、左端および右端の位置が、それぞれ処方薬剤Ｂの服薬開始日および服薬終了日を示している。具体的には、処方薬剤Ｂの服薬開始日は処方日Ｄａ＝Ｄｂとされ、処方薬剤Ｂの服薬終了日は（Ｄａ＋Ｍｂ−１）とされている。
【００８８】
矢印Ａ１２に示される服薬日程情報では、処方薬剤Ａと処方薬剤Ｂが同日に処方されたにも関わらず、処方薬剤Ｂの服薬期間が、処方薬剤Ａの服薬期間よりも大幅に短くなっていて不自然である。このように、処方薬剤Ｂが効果持続薬である場合には、処方薬剤Ｂの処方日Ｄｂと処方日数Ｍｂから、効果持続薬ではない他の薬剤と同様の処理で服薬日程情報を生成すると、正しい服薬日程が得られなくなってしまう。
【００８９】
そこで、服薬日程生成部５４は、処方薬剤Ｂの処方日数ＭｂがＭｂ＝Ｍａであるものとして、服薬日程情報を生成する。つまり、処方薬剤Ｂの処方日数がＭｂではなく、実際にはＭａであったものとして、服薬日程情報が生成される。これにより、矢印Ａ１３に示される処方薬剤Ｂの服薬日程情報が得られる。
【００９０】
矢印Ａ１３に示される処方薬剤Ｂの服薬日程情報では、その服薬日程情報を表す矩形の図中、左端および右端の位置が、それぞれ処方薬剤Ｂの服薬開始日および服薬終了日を示している。具体的には、処方薬剤Ｂの服薬開始日は処方日Ｄａ＝Ｄｂとされ、処方薬剤Ｂの服薬終了日は（Ｄａ＋Ｍａ−１）とされている。つまり、処方薬剤Ｂの服薬期間は、処方薬剤Ａの服薬期間と同じとなっている。
【００９１】
このようにして、同日に処方された処方薬剤Ａの処方日数Ｍａに基づいて、処方薬剤Ｂの処方日数Ｍｂを適宜修正することにより、より確からしい服薬日程を示す服薬日程情報を得ることができる。なお、以下、効果持続薬と同日に処方された処方薬剤の処方日数を利用して、効果持続薬の服薬日程を変更する処理を効果持続薬処理とも称することとする。
【００９２】
また、例えば効果持続薬であるとされた処方薬剤Ｂの処方日数がＭｂ回の周期的な漸減係数として扱われるようにしてもよい。すなわち、Ｍｂ回にわたる薬剤効果の周期的な影響度分布が、処方薬剤Ｂの服薬日程情報として出力されるようにしてもよい。
【００９３】
そのような場合、例えば服薬日程生成部５４は、図５に示す服薬日程情報を生成する。なお、図中、横方向は日付けを示している。また、図５は、処方日数Ｍｂ＝２である場合の例を示している。
【００９４】
図５の例では、矢印Ａ２１に示される矩形は、処方薬剤Ａの服薬日程情報を示している。また、矢印Ａ２２に示される矩形は、処方薬剤Ｂが効果持続薬でないとした場合の服薬日程情報を示しており、矢印Ａ２３に示される複数個の三角形は、処方薬剤Ｂが効果持続薬であるとした場合の服薬日程情報を示している。
【００９５】
矢印Ａ２１に示す処方薬剤Ａの服薬日程情報、および矢印Ａ２２に示す処方薬剤Ｂの服薬日程情報は、図４における矢印Ａ１１に示す服薬日程情報、および矢印Ａ１２に示す服薬日程情報と同様であるので、その説明は省略する。
【００９６】
また、矢印Ａ２３に示す処方薬剤Ｂの服薬日程情報では、図中、縦方向は服薬による処方薬剤Ｂのユーザに対する影響度合いを示しており、服薬日程情報を表す図形の図中、左端および右端の位置は、処方薬剤Ｂの服薬開始日および服薬終了日を示している。
【００９７】
矢印Ａ２３に示す処方薬剤Ｂの服薬日程情報を生成するにあたり、まず服薬日程生成部５４は、処方薬剤Ｂの服薬期間を処方日Ｄａ＝Ｄｂから、Ｄａ＋Ｍａ−１までの期間とするとともに、この服薬期間をＭｂ個の期間（以下、分割期間とも称する）に分割する。
【００９８】
この例では、Ｍｂ＝２であるので、処方薬剤Ｂの服薬期間が、処方日ＤａからＴｂまでの期間と、Ｔｂ＋１からＤａ＋Ｍａ−１までの期間とに分割されている。ここで、Ｍａ／Ｍｂの整数部分を［Ｍａ／Ｍｂ］で表すとすると、ＴｂはＤａ＋［Ｍａ／Ｍｂ］となる。
【００９９】
次に、服薬日程生成部５４は、各分割期間の開始日における影響度合いを、例えば「１」などの所定値とする。さらに、服薬日程生成部５４は、その影響度合いが分割期間の終了日まで直線的に漸減（減衰）していくように、分割期間内の各日付けにおける影響度合いを定め、各日付けの影響度合いを示す情報を矢印Ａ２３に示す服薬日程情報とする。
【０１００】
この例では、分割期間とされたＤａからＴｂの期間と、Ｔｂ＋１からＤａ＋Ｍａ−１の期間とでは、各分割期間の開始日から終了日まで直線的に、処方薬剤Ｂの影響度合い、つまり矢印Ａ２３に示す図形の縦方向の高さが低くなっている。したがって、矢印Ａ２３に示す処方薬剤Ｂの服薬日程情報は、２つの三角形を並べた形状の情報となっている。
【０１０１】
これは、各分割期間の開始日にユーザが処方薬剤Ｂを服用すると想定されているからである。具体的には、この例では、ユーザは処方薬剤Ｂの服薬期間、つまり処方日ＤａからＤａ＋Ｍａ−１までの期間で、Ｍｂ回だけ処方薬剤Ｂを服薬する。
【０１０２】
まず、ユーザは処方日Ｄａに処方薬剤Ｂを服薬する。したがって、処方日Ｄａでは、処方薬剤Ｂの影響度合いが大きく、その後、次第に影響度合いが小さくなっていく。そして、ユーザはＴｂ＋１の日付けの日に処方薬剤Ｂを服薬する。すると、処方薬剤Ｂの服薬に応じてＴｂ＋１における影響度合いが大きなり、その後、服薬期間の終了日まで次第に影響度合いが小さくなっていく。
【０１０３】
このように、服薬の日程だけでなく、服薬による薬剤の影響度合いも示される服薬日程情報を生成すれば、各薬剤の時間的な遠近関係を考慮して、薬剤の飲み合わせの危険性や重複投与などを検出することができるようになる。
【０１０４】
図３のフローチャートの説明に戻り、服薬日程生成部５４は、各処方薬剤の服薬日程情報を生成すると、得られた服薬日程情報を通信部４１に供給し、処理はステップＳ１６からステップＳ１８へと進む。
【０１０５】
また、ステップＳ１２において同一処方日で異なる処方日数の処方薬剤がないと判定された場合、ステップＳ１３において頓服薬であると判定された場合、またはステップＳ１５において効果持続薬でないと判定された場合、ステップＳ１７の処理が行なわれる。
【０１０６】
ステップＳ１７において、服薬日程生成部５４は、各処方薬剤の処方日と処方日数に基づいて、処方薬剤ごとに服薬日程情報を生成する。
【０１０７】
例えば処方日および処方日数がＤａとＭａである処方薬剤Ａと、処方日および処方日数がＤｂとＭｂである処方薬剤Ｂについて、服薬日程情報が生成されるとする。
【０１０８】
この場合、服薬日程生成部５４は、処方日ＤａからＤａ＋Ｍａ−１までの期間、処方薬剤Ａが服薬されたことを示す服薬日程情報を生成する。同様に服薬日程生成部５４は、処方日ＤｂからＤｂ＋Ｍｂ−１までの期間、処方薬剤Ｂが服薬されたことを示す服薬日程情報を生成する。服薬日程生成部５４が、このようにして得られた服薬日程情報を通信部４１に供給すると、処理はステップＳ１８へと進む。
【０１０９】
ステップＳ１７の処理が行なわれる場合、処理対象とされている処方薬剤は、効果持続薬ではないので、各処方薬剤の服薬日程は、処方薬剤の処方日を開始日とする処方日数の期間とされる。なお、処方薬剤が頓服薬である場合には、頓服薬に特化した処理によって、その頓服薬の服薬日程情報が生成されるようにしてもよい。
【０１１０】
ステップＳ１６またはステップＳ１７の処理が行なわれると、その後、ステップＳ１８の処理が行なわれる。
【０１１１】
すなわち、ステップＳ１８において、通信部４１は、服薬日程生成部５４から供給された服薬日程情報を、携帯型端末装置１１に送信し、服薬日程生成処理は終了する。携帯型端末装置１１に送信された服薬日程情報は、携帯型端末装置１１において、薬剤飲み合わせの検出や重複投与の検出など、各種の処理に利用される。
【０１１２】
以上のようにして、データセンタ１４は、各処方薬剤の処方日を比較したり、各処方薬剤の処方日数に基づく除算を行なったりすることで、処方薬剤のなかから効果持続薬を検出し、効果持続薬については、効果持続薬処理を行なって服薬日程情報を生成する。
【０１１３】
このように、効果持続薬を検出し、効果持続薬については他の同日処方の処方薬剤の処方日数に基づいて服薬日程情報を生成するこで、より確からしい服薬日程を示す服薬日程情報を得ることができる。すなわち、処方薬剤の服薬に関するより確からしい情報を得ることができる。
【０１１４】
このようにして得られた服薬日程情報を、例えば飲み合わせ禁忌や注意となる薬剤を検出するアプリケーションプログラムに利用することで、より実用性の高い注意喚起を行なうことができる。
【０１１５】
具体的には、例えば図５に示した服薬日程情報が得られる場合、各日付けにおける処方薬剤の影響度合いを、患者による処方薬剤の服薬確率として用いれば、任意の２つの薬剤の組み合わせについて、それらの薬剤の飲み合わせ発生確率を得ることができる。この飲み合わせ発生確率を、各処方薬剤の飲み合わせの優先度とすれば、優先度を考慮して、薬剤の飲み合わせの危険性をユーザに対して提示することができるようになる。
【０１１６】
例えば、特定の日付けにおいてユーザが服用している薬剤のみを対象として、薬剤の飲み合わせの危険性を検出した場合、服薬遅延などにより生じ得る潜在的な飲み合わせについての危険性を検出することができなくなってしまう。つまり、網羅的に薬剤の飲み合わせの危険性を検出することができなくなってしまう。
【０１１７】
また、ユーザが現在または過去に服用した全ての薬剤を対象として、薬剤の飲み合わせの危険性を検出した場合、その飲み合わせの数は膨大な数となってしまう。そのため、それらの全ての組み合わせについて、飲み合わせの危険性についての注意書きをユーザに提示しても、かえって注意書きがユーザに読まれなくなってしまう恐れがある。
【０１１８】
これに対して、上述したように優先度を考慮して薬剤の飲み合わせの危険性をユーザに提示する場合、より多くの飲み合わせの危険性を検出できるだけでなく、可能性の高いものを優先的にユーザに提示することができ、より効果的な服薬指導を行なうことができる。
【０１１９】
また、本技術によれば、近年問題となっている薬剤の重複投与についても、より確実に検出することができるようになる。
【０１２０】
例えば、ユーザに対して処方薬剤Ｃが４回分処方され、服薬による処方薬剤Ｃの効果が７日間持続するものとする。この場合、ユーザは２８日分の薬剤を受け取ったことになるが、レセプトから抽出される処方薬剤Ｃの処方日数は４日分である。
【０１２１】
そのため、処方薬剤Ｃの服薬日程情報を生成するときに、処方薬剤Ｃの服薬日程（服薬期間）が、その処方日を開始日とする処方日数の期間であるとすると、処方薬剤Ｃの処方日の４日後以降に、処方薬剤Ｃを重複して処方しても重複処方を発見することができない。
【０１２２】
しかし、本技術では、処方薬剤Ｃと同日に処方された他の処方薬剤があれば、処方薬剤Ｃについては効果持続薬処理が行なわれて服薬日程情報が生成されるので、処方薬剤Ｃの重複処方を発見することができる可能性がより高くなる。
【０１２３】
〈第２の実施の形態〉
［服薬日程生成処理の説明］
なお、以上においては服薬日程生成処理において、同一処方日で異なる処方日数の処方薬剤があるか否かを判定することで、薬剤が効果持続薬である可能性があるかを特定していたが、計算能力に余力がある場合には、この判定処理が行なわれないようにしてもよい。
【０１２４】
そのような場合、データセンタ１４は、図６に示す服薬日程生成処理を行なう。以下、図６のフローチャートを参照して、データセンタ１４による服薬日程生成処理について説明する。
【０１２５】
ステップＳ４１において、抽出部５１は、記録部４４に記録されている調剤レセプト情報、医科レセプト情報、DPCレセプト情報などの薬歴情報から、特定の患者に対して処方された処方薬剤に関する情報として、各処方薬剤の処方日および処方日数を抽出する。
【０１２６】
なお、各処方薬剤はレセプトＩＤにより識別される同じレセプトから抽出されるので、それらの処方薬剤の処方日は基本的に同じである。
【０１２７】
処方薬剤の処方日と処方日数が抽出されると、その後、ステップＳ４２乃至ステップＳ４７の処理が行なわれて、服薬日程生成処理は終了するが、これらの処理は図３のステップＳ１３乃至ステップＳ１８の処理と同様であるので、その説明は省略する。
【０１２８】
例えば、図６の服薬日程生成処理では、図３のステップＳ１２の処理、つまり異なる処方日数の処方薬剤の検出が行なわれない。しかし、例えば同じ処方日数の処方薬剤について、効果持続薬処理により服薬日程情報を生成しても、結果として効果持続薬処理を行なわない場合と同じ服薬日程情報が得られる。
【０１２９】
以上のようにして、データセンタ１４は、各処方薬剤の処方日数に基づく除算を行なって、処方薬剤のなかから効果持続薬を検出し、必要に応じて効果持続薬処理を行なって服薬日程情報を生成する。これにより、より確からしい服薬日程を示す服薬日程情報を得ることができる。
【０１３０】
〈第３の実施の形態〉
［携帯型端末装置の構成例］
さらに、以上においては、データセンタ１４により服薬日程情報が生成される場合を例として説明したが、携帯型端末装置１１など、他の装置により服薬日程情報が生成されるようにしてもよい。
【０１３１】
例えば、携帯型端末装置１１により服薬日程情報が生成される場合、携帯型端末装置１１は図７に示すように構成される。なお、図７において、図２における場合と対応する部分には同一の符号を付してあり、その説明は省略する。
【０１３２】
携帯型端末装置１１は、通信部８１、入力部８２、制御部８３、記録部８４、および表示部８５から構成される。
【０１３３】
通信部８１は、データセンタ１４などの外部の装置と通信し、各種のデータを受信して制御部８３に供給したり、制御部８３から供給されたデータを送信したりする。入力部８２は、例えば入力ボタンやタッチパネルなどからなり、ユーザにより入力された情報を制御部８３に供給する。
【０１３４】
制御部８３は、携帯型端末装置１１全体の動作を制御する。制御部８３は、抽出部５１、特定部５２、演算部５３、服薬日程生成部５４、および処理実行部９１を備えている。
【０１３５】
処理実行部９１は、服薬日程生成部５４により生成された服薬日程情報に基づいて、薬剤の飲み合わせの危険性を検出したり、薬剤の重複投与を検出したりするなど、各種の処理を実行する。
【０１３６】
記録部８４は、制御部８３により実行されるプログラムや各種のデータを記録しており、必要に応じてそれらのデータを制御部８３に供給する。例えば、記録部８４には、データセンタ１４等から取得された薬歴データなどが、ユーザのお薬手帳として記録されている。
【０１３７】
表示部８５は、液晶表示パネルなどからなり、制御部８３から供給されたデータに基づいて、各種の画像を表示する。
【０１３８】
［服薬日程生成処理の説明］
次に、図８のフローチャートを参照して、携帯型端末装置１１により行なわれる服薬日程生成処理について説明する。
【０１３９】
ステップＳ８１において、抽出部５１は、記録部８４に記録されている薬歴データから、処方された処方薬剤に関する情報として、各処方薬剤の処方日および処方日数を抽出する。このとき、抽出部５１は同一レセプトに含まれている処方薬剤について、処方日および処方日数を抽出する。
【０１４０】
なお、記録部８４に調剤レセプト情報、医科レセプト情報、DPCレセプト情報などの薬歴情報が記録されるようにし、それらの薬歴情報から各処方薬剤の処方日および処方日数を抽出するようにしてもよい。また、抽出部５１が、通信部８１にデータセンタ１４などから、薬歴情報に含まれている各処方薬剤の処方日および処方日数を受信させることにより、処方日と処方日数を取得するようにしてもよい。
【０１４１】
各処方薬剤の処方日および処方日数が抽出されると、その後、ステップＳ８２乃至ステップＳ８７の処理が行なわれて、各処方薬剤の服薬日程情報が生成される。なお、これらの処理は、図３のステップＳ１２乃至ステップＳ１７の処理と同様であるので、その説明は省略する。
【０１４２】
ステップＳ８６またはステップＳ８７において、服薬日程情報が生成されると、ステップＳ８８において、処理実行部９１は、服薬日程情報を用いて所定の処理を実行する。例えば、処理実行部９１は、服薬日程情報に基づいて、薬剤の飲み合わせの危険性を検出したり、薬剤の重複投与を検出したりする。また、服薬日程情報が表示部８５に表示される処理が行なわれるようにしてもよい。
【０１４３】
処理実行部９１により、服薬日程情報を用いた処理が実行されると、その後、服薬日程生成処理は終了する。
【０１４４】
以上のようにして、携帯型端末装置１１は、各処方薬剤の処方日を比較したり、各処方薬剤の処方日数に基づく除算を行なったりすることで、処方薬剤のなかから効果持続薬を検出し、効果持続薬については、効果持続薬処理を行なって服薬日程情報を生成する。
【０１４５】
このように、効果持続薬を検出し、効果持続薬については他の同日処方の処方薬剤の処方日数に基づいて服薬日程情報を生成することで、より確からしい服薬日程を示す服薬日程情報を得ることができる。
【０１４６】
〈第４の実施の形態〉
［服薬日程生成処理の説明］
なお、以上においては携帯型端末装置１１により行なわれる服薬日程生成処理において、同一処方日で異なる処方日数の処方薬剤があるか否かを判定する場合について説明したが、この判定処理が行なわれないようにしてもよい。
【０１４７】
そのような場合、携帯型端末装置１１は、図９に示す服薬日程生成処理を行なう。以下、図９のフローチャートを参照して、携帯型端末装置１１による服薬日程生成処理について説明する。
【０１４８】
ステップＳ１１１において、抽出部５１は、同一レセプトに含まれている処方薬剤について、記録部８４に記録されている薬歴データから、処方された処方薬剤に関する情報として、各処方薬剤の処方日および処方日数を抽出する。
【０１４９】
処方薬剤の処方日と処方日数が抽出されると、その後、ステップＳ１１２乃至ステップＳ１１７の処理が行なわれて、服薬日程生成処理は終了するが、これらの処理は図８のステップＳ８３乃至ステップＳ８８の処理と同様であるので、その説明は省略する。
【０１５０】
以上のようにして、携帯型端末装置１１は、各処方薬剤の処方日数に基づく除算を行なって、処方薬剤のなかから効果持続薬を検出し、必要に応じて効果持続薬処理を行なって服薬日程情報を生成する。これにより、より確からしい服薬日程を示す服薬日程情報を得ることができる。
【０１５１】
ところで、上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【０１５２】
図１０は、上述した一連の処理をプログラムにより実行するコンピュータのハードウェアの構成例を示すブロック図である。
【０１５３】
コンピュータにおいて、CPU（Central Processing Unit）２０１，ROM（Read Only Memory）２０２，RAM（Random Access Memory）２０３は、バス２０４により相互に接続されている。
【０１５４】
バス２０４には、さらに、入出力インターフェース２０５が接続されている。入出力インターフェース２０５には、入力部２０６、出力部２０７、記録部２０８、通信部２０９、及びドライブ２１０が接続されている。
【０１５５】
入力部２０６は、キーボード、マウス、マイクロホン、撮像素子などよりなる。出力部２０７は、ディスプレイ、スピーカなどよりなる。記録部２０８は、ハードディスクや不揮発性のメモリなどよりなる。通信部２０９は、ネットワークインターフェースなどよりなる。ドライブ２１０は、磁気ディスク、光ディスク、光磁気ディスク、又は半導体メモリなどのリムーバブルメディア２１１を駆動する。
【０１５６】
以上のように構成されるコンピュータでは、CPU２０１が、例えば、記録部２０８に記録されているプログラムを、入出力インターフェース２０５及びバス２０４を介して、RAM２０３にロードして実行することにより、上述した一連の処理が行われる。
【０１５７】
コンピュータ（CPU２０１）が実行するプログラムは、例えば、パッケージメディア等としてのリムーバブルメディア２１１に記録して提供することができる。また、プログラムは、ローカルエリアネットワーク、インターネット、デジタル衛星放送といった、有線または無線の伝送媒体を介して提供することができる。
【０１５８】
コンピュータでは、プログラムは、リムーバブルメディア２１１をドライブ２１０に装着することにより、入出力インターフェース２０５を介して、記録部２０８にインストールすることができる。また、プログラムは、有線または無線の伝送媒体を介して、通信部２０９で受信し、記録部２０８にインストールすることができる。その他、プログラムは、ROM２０２や記録部２０８に、あらかじめインストールしておくことができる。
【０１５９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１６０】
また、本技術の実施の形態は、上述した実施の形態に限定されるものではなく、本技術の要旨を逸脱しない範囲において種々の変更が可能である。
【０１６１】
例えば、本技術は、１つの機能をネットワークを介して複数の装置で分担、共同して処理するクラウドコンピューティングの構成をとることができる。
【０１６２】
また、上述のフローチャートで説明した各ステップは、１つの装置で実行する他、複数の装置で分担して実行することができる。
【０１６３】
さらに、１つのステップに複数の処理が含まれる場合には、その１つのステップに含まれる複数の処理は、１つの装置で実行する他、複数の装置で分担して実行することができる。
【０１６４】
さらに、本技術は、以下の構成とすることも可能である。
【０１６５】
［１］
処方薬剤の処方日と処方日数を取得する取得部と、
他の処方薬剤の処方日数と、前記処方薬剤の処方日数とに基づく除算を行なって、その除算結果が所定の条件を満たすか否かに基づいて、前記処方薬剤が効果持続薬であるかを特定する演算部と、
前記処方薬剤が効果持続薬である場合、前記処方薬剤の処方日と前記他の処方薬剤の処方日数とに基づいて、前記処方薬剤の服薬日程情報を生成する服薬日程生成部と
を備える情報処理装置。
［２］
前記演算部は、処方日が前記処方薬剤と同じである前記他の処方薬剤の処方日数と、前記処方薬剤の処方日数とに基づく除算を行なう
［１］に記載の情報処理装置。
［３］
前記服薬日程生成部は、前記処方薬剤の処方日数が前記他の処方薬剤の処方日数と同じであるものとして、前記服薬日程情報を生成する
［１］または［２］に記載の情報処理装置。
［４］
前記服薬日程生成部は、前記処方薬剤の処方日を開始日とする前記他の処方薬剤の処方日数の期間を、前記取得部により取得された前記処方薬剤の処方日数分の数の分割期間に分割し、各前記分割期間において、前記分割期間の開始日から終了日まで前記処方薬剤による影響度合いが減衰していくように、前記処方薬剤の服薬日程と影響度合いを示す前記服薬日程情報を生成する
［３］に記載の情報処理装置。
［５］
前記演算部は、前記他の処方薬剤の処方日数がＭａであり、前記処方薬剤の処方日数がＭｂであり、Ｍａ＞Ｍｂである場合、Ｍａ／Ｍｂの剰余が０であるとき、前記処方薬剤は効果持続薬であるとする
［１］乃至［４］の何れかに記載の情報処理装置。
［６］
前記演算部は、前記他の処方薬剤の処方日数がＭａであり、前記処方薬剤の処方日数がＭｂであり、Ｍａ＞Ｍｂである場合、Ｍａ／（Ｍｂ−１）の商が７、１４、または２８乃至３１の何れかであるとき、前記処方薬剤は効果持続薬であるとする
［１］乃至［４］の何れかに記載の情報処理装置。
［７］
前記処方薬剤と同一処方日で、かつ前記処方薬剤と処方日数が異なる前記他の処方薬剤があるか否かを特定する特定部をさらに備える
［１］乃至［６］の何れかに記載の情報処理装置。
【符号の説明】
【０１６６】
１１  携帯型端末装置，  １４  データセンタ，  ４１  通信部，  ４４  記録部，  ５１  抽出部，  ５２  特定部，  ５３  演算部，  ５４  服薬日程生成部，  ９１  処理実行部
【図１】
2014021114.tif 000003
【図２】
2014021114.tif 000004
【図３】
2014021114.tif 000005
【図４】
2014021114.tif 000006
【図５】
2014021114.tif 000007
【図６】
2014021114.tif 000008
【図７】
2014021114.tif 000009
【図８】
2014021114.tif 000010
【図９】
2014021114.tif 000011
【図１０】
2014021114.tif 000012
【国際調査報告】
2014021114.tif 000013
2014021114.tif 000014